(57)【要約】【課題】容体内のローションもしくは薬液を所定量宛、確実に排出せしめて皮膚の表面にローションもしくは薬液を均一に塗布できるようにした。【解決手段】ローションもしくは薬液入り容体ａに、前記ローションが排出可能な小孔１を有するジョイントｂを嵌合し、前記ジョイントｂに水晶資材製の球状体ｃの一部が頭部２より飛出し、且回動可能な回動開口部１０を有するカバー体ｄを嵌合せしめ組立てる。また容体ａの開口部３に取着する排出機構４が、注入されているローションを均一且小量宛排出せしめることが可能である。更に球状体ｃが、真珠、人造真珠、金、純金、ゲルマニウム、トルマリン資材製等である。【選択図】       図１
2009077878.tif 000002
【特許請求の範囲】
【請求項１】
ローションもしくは薬液入り容体に、前記ローションが排出可能な小孔を有するジョイントを嵌合し、前記ジョイントに水晶資材製の球状体の一部が頭部より飛出し、且回動可能な回動開口部を有するカバー体を嵌合せしめ組立てることを特徴とする球状体付きローション及び薬液塗布容器。
【請求項２】
前記ローションもしくは薬液入り容体は、上方にローションが排出する排出機構を取着する開口部を有し、前記開口部の外側面部に雄ネジを形成し、前記ジョイントは、下方部に前記ローションもしくは薬液入り容体の開口部と嵌合する内側面に雌ネジを内設の嵌挿部を有し、上方部に前記ローションを排出せしめる小孔付き頭部を形成し、前記カバー体は、上方部に水晶資材製の球状体の一部が回動自在に回動し飛出しない形状の回動開口部を有し、前記回動開口部の直下の内側部位に形成する球状体嵌挿部に前記水晶資材製の球状体を収納し、且前記球状体嵌挿部の下方部に前記ジョイントの雄ネジ付き頭部と嵌合する内側面に雌ネジを内設の下方開口部を形成し、前記ローションもしくは薬液入り容体の開口部に、前記ジョイントの嵌挿部を嵌合し、前記ジョイントの頭部に前記カバー体の下方開口部を嵌合せしめ組立てることを特徴とする請求項１記載の球状体付きローション及び薬液塗布容器。
【請求項３】
前記ジョイントの小孔付き頭部は、フラット面であり、且前記球状体の下方球面が前記ジョイントのフラット面の中央部に形成する小孔に載置せしめられることを特徴とする請求項１又は同２に記載の球状体付きローション及び薬液塗布容器。
【請求項４】
前記ローションもしくは薬液入り容体の開口部に取着する排出機構が、注入されているローションを均一且小量宛排出せしめることが可能な構造をしていることを特徴とする請求項１又は同２又は同３に記載の球状体付きローション及び薬液塗布容器。
【請求項５】
前記球状体が、真珠もしくは人造真珠であることを特徴とする請求項１又は同２又は同３又は同４に記載の球状体付きローション及び薬液塗布容器。
【請求項６】
前記球状体が、金もしくは純金資材製であることを特徴とする請求項１又は同２又は同３又は同４又は同５に記載の球状体付きローション及び薬液塗布容器。
【請求項７】
前記球状体が、ゲルマニウム資材製であることを特徴とする請求項１又は同２又は同３又は同４又は同５又は同６に記載の球状体付きローション及び薬液塗布容器。
【請求項８】
前記球状体が、トルマリン資材製であることを特徴とする請求項１又は同２又は同３又は同４又は同５又は同６又は同７に記載の球状体付きローション及び薬液塗布容器。
【請求項９】
前記球状体が、磁性を有することを特徴とする請求項１又は同２又は同３又は同４又は同５又は同６又は同７又は同８に記載の球状体付きローション及び薬液塗布容器。
【発明の詳細な説明】
【技術分野】
【０００１】
本発明は、球状体付きローション及び薬液塗布容器の技術分野に関するものである。
【背景技術】
【０００２】
従来、ボール付き液体塗布具として実開平９−３２１号公開実用新案公報が開示されているが、このボール付き液体塗布具は、ボール９０を弾性体７０によって先方弾発されている弁孔５３を開閉する弁棒６０を拘持する弁栓３０を液体充填口部１１、１１ａに固定し、該弁棒６０の先端でボール９０を載置し、ボール９０の押上げを弾性体７０によって処理されている。
【０００３】
さらに前記ボール９０の材質等について具体的な開示がなされていない。
【０００４】
また、ボール付き液体塗布具として、実開平６−５７４６５号公開実用新案公報が開示されているが、このボール付き液体塗布具は、容器口部にてボール３０が環状の上部支持体２３、２３ａと環状の下部支持体２４、２４ａとの間に回転自在に支持され、ボール３０はボール３０を押し付ける力加減に対応した極めて僅かな上下運動が可能となり、ボール３０と上下支持部２３、２４の周縁部との間の僅かな隙間の大きさを人為的に調整するものであり、弾性体弁状物４０を上下方向に僅かに折曲せしめる機構である。
【０００５】
さらに、前記ボール３０の材質等について、具体的な開示がなされていない。
【特許文献１】実開平９−３２１号公開実用新案公報
【特許文献２】実開平６−５７４６５号公開実用新案公報
【発明の開示】
【発明が解決しようとする課題】
【０００６】
しかるに、本発明が解決しようとする課題は以下のとおりである。
【０００７】
第１に、本発明の球状体付きローション及び薬液塗布容器の構成を、ローションもしくは薬液容体と、ジョイントと、球状体を嵌挿せしめるカバー体との３部材を主要部として形成せしめることによって、前記カバー体内に嵌挿せしめ、且回転自在な球状体を、前記球状体の下方部よりバネ等の押圧支持部材を介することなく、前記容体内のローションもしくは薬液を所定量宛、確実に排出せしめて皮膚の表面にローションもしくは薬液を均一に塗布せしめるようにした。
【０００８】
第２に、本発明の球状体付きローション及び薬液塗布容器の構成部材であるカバー体に嵌挿する球状体を、小孔付きジョイントの小孔上面に前記球状体の下方底面部を乗せて回動せしめ、球状体の表面にローションもしくは薬液が均一に付着し塗布できるようにした。
【０００９】
第３に、本発明の球状体付きローション及び薬液塗布容器の構成を、ジョイントの頭部をフラット面にて形成し、しかもカバー体の下方部に所定資材製の球状体が収納する球体嵌挿部を形成して、前記球状体を容体内のローションもしくは薬液の排出を阻害しなし程度に確実に嵌挿せしめるようにした。    
【００１０】
第４に、本発明の球状体付きローション及び薬液塗布容器の構成部材のカバー体内に嵌挿する球状体を、水晶（石英も含む）もしくは真珠もしくは人造真珠もしくは金もしくは純金もしくはゲルマニウムもしくはトルマリンもしくは磁性を有する磁性体にて形成いローションもしくは薬液の皮膚に対する塗布時において、単なる塗布だけでなく、前記した各資材が有する特性のマイナスイオンの作用によって、生体電流の乱れをおさめ、不快な症状を除去するというローションもしくは薬液の塗布による相乗効果を得ることができるようにした。
【００１１】
第５に、本発明は、前記球状体が有する高級感を十分に堪能しながらローションもしくは薬液の塗布による化粧もしくは薬液効果を相乗的に得るようにした。
【課題を解決するための手段】
【００１２】
上記課題を解決するための手段として、請求項１記載の発明は、ローションもしくは薬液入り容体ａに、前記ローションが排出可能な小孔１を有するジョイントｂを嵌合し、前記ジョイントｂに水晶資材製の球状体ｃの一部が頭部２より飛出し、且回動可能な回動開口部１０を有するカバー体ｄを嵌合せしめ組立てることを特徴とする球状体付きローション及び薬液塗布容器である。
【００１３】
請求項２記載の発明は、前記ローションもしくは薬液入り容体ａは、上方にローションが排出する排出機構４を取着する開口部３を有し、前記開口部３の外側面部に雄ネジ５を形成し、前記ジョイントｂは、下方部に前記ローションもしくは薬液入り容体ａの開口部３と嵌合する内側面に雌ネジ６を内設の嵌挿部７を有し、上方部に前記ローションを排出せしめる小孔１付き頭部９を形成し、前記カバー体ｄは、上方部に水晶資材製の球状体ｃの一部が回動自在に回動し飛出しない形状の回動開口部１０を有し、前記回動開口部１０の直下の内側部位に形成する球状体嵌挿部１０ａに前記水晶資材製の球状体ｃを収納し、且前記球状体嵌挿部１０ａの下方部に前記ジョイントｂの雄ネジ１３付き頭部９と嵌合する内側面に雌ネジ１５を内設の下方開口部１４を形成し、前記ローションもしくは薬液入り容体ａの開口部３に、前記ジョイントｂの嵌挿部７を嵌合し、前記ジョイントの頭部９に前記カバー体ｄの下方開口部１４を嵌合せしめ組立てることを特徴とする請求項１記載の球状体付きローション及び薬液塗布容器である。
【００１４】
請求項３記載の発明は、前記ジョイントｂの小孔１付き頭部９は、フラット面１７であり、且前記球状体ｃの下方球面が前記ジョイントｂのフラット面１７の中央部に形成する小孔１に載置せしめられることを特徴とする請求項１又は同２に記載の球状体付きローション及び薬液塗布容器である。
【００１５】
請求項４記載の発明は、前記ローションもしくは薬液入り容体ａの開口部３に取着する排出機構４が、注入されているローションを均一且小量宛排出せしめることが可能な構造をしていることを特徴とする請求項１又は同２又は同３に記載の球状体付きローション及び薬液塗布容器である。
【００１６】
請求項５記載の発明は、前記球状体ｃが、真珠もしくは人造真珠であることを特徴とする請求項１又は同２又は同３又は同４に記載の球状体付きローション及び薬液塗布容器である。
【００１７】
請求項６記載の発明は、前記球状体ｃが、金もしくは純金資材製であることを特徴とする請求項１又は同２又は同３又は同４又は同５に記載の球状体付きローション及び薬液塗布容器である。
【００１８】
請求項７記載の発明は、前記球状体ｃが、ゲルマニウム資材製であることを特徴とする請求項１又は同２又は同３又は同４又は同５又は同６に記載の球状体付きローション及び薬液塗布容器である。
【００１９】
請求項８記載の発明は、前記球状体ｃが、トルマリン資材製であることを特徴とする請求項１又は同２又は同３又は同４又は同５又は同６又は同７に記載の球状体付きローション及び薬液塗布容器である。
【００２０】
請求項９記載の発明は、前記球状体ｃが、磁性を有することを特徴とする請求項１又は同２又は同３又は同４又は同５又は同６又は同７又は同８に記載の球状体付きローション及び薬液塗布容器である。
【発明の効果】
【００２１】
請求項１の本発明は、ローションもしくは薬液入り容体ａに、前記ローションが排出可能な小孔１を有するジョイントｂを嵌合し、前記ジョイントｂに水晶資材製の球状体ｃの一部が頭部２より飛出し、且回動可能な回動開口部１０を有するカバー体ｄを嵌合せしめ組立てる球状体付きローション及び薬液塗布容器なので、前記球状体ｃ付きカバー体ｄが前記容体ａの開口部３に直接嵌合することなく、小孔１付きジョイントｂを介して嵌合組立てて、容体ａ内のローションもしくは薬液を所定の均一量宛前記球状体ｃの回転によって人体の皮膚面への塗布をスムーズに行わしめた。
【００２２】
さらに、本発明は、前記球状体ｃが水晶資材製のため、水晶の特性である水との相性の良さを生かしながら、さらに水晶が有する本来のパワーである心身や運気の新陳代謝を高め、さらに細胞を活性化するというパワーによって、さらに水晶が持っている高級感のイメージを抱きながら人体の皮膚面へのローションもしくは薬液の塗布ができる利点を有している。
【００２３】
請求項２記載の発明は、前記ローションもしくは薬液入り容体ａは、上方にローションが排出する排出機構４を取着する開口部３を有し、前記開口部３の外側面部に雄ネジ５を形成し、前記ジョイントｂは、下方部に前記ローションもしくは薬液入り容体ａの開口部３と嵌合する内側面に雌ネジ６を内設の嵌挿部７を有し、上方部に前記ローションを排出せしめる小孔１付き頭部９を形成し、前記カバー体ｄは、上方部に水晶資材製の球状体ｃの一部が回動自在に回動し飛出しない形状の回動開口部１０を有し、前記回動開口部１０の直下の内側部位に形成する球状体嵌挿部１０ａに前記水晶資材製の球状体ｃを収納し、且前記球状体嵌挿部１０ａの下方部に前記ジョイントｂの雄ネジ１３付き頭部９と嵌合する内側面に雌ネジ１５を内設の下方開口部１４を形成し、前記ローションもしくは薬液入り容体ａの開口部３に、前記ジョイントｂの嵌挿部７を嵌合し、前記ジョイントの頭部９に前記カバー体ｄの下方開口部１４を嵌合せしめ組立てる球状体付きローション及び薬液塗布容器なので、前記カバー体ｄ内に嵌挿されている前記水晶資材製の球状体ｃの下方底面部が前記ジョイントｂの頭部１２の中心部に位置する小孔８に当って、容体ａ内のローションもしくは薬液の排出を調整する。そのため、前記水晶球状体ｃの表面に付着するローションもしくは薬液の厚みを一定にして、皮膚に対し付着せしめローションもしくは薬液効果を高める利点がある。
【００２４】
さらに、本発明は、前記ジョイントｂを螺戻すれば、前記容体ａとの離脱が極めて容易であり、且前記容体ａへのローション注入をスムーズに処理できる。
【００２５】
また、本発明は、請求項１記載の発明の効果と同じ効果を有している。
【００２６】
請求項３記載の発明は、前記ジョイントｂの小孔１付き頭部９は、フラット面１７であり、且前記球状体ｃの下方球面が前記ジョイントｂのフラット面１７の中央部に形成する小孔１に載置せしめられる球状体付きローション及び薬液塗布容器なので、前記球状体ｃの下方底面部の摩擦面が前記小孔１の径と同程度と極めて小さい。そのため前記球状体ｃの回動がスムーズである。
【００２７】
さらに、本発明は、請求項１又は同２記載の発明の効果と同じ効果を有している。
【００２８】
請求項４記載の発明は、前記ローションもしくは薬液入り容体ａの開口部３に取着する排出機構４が、注入されているローションもしくは薬液を均一且小量宛排出せしめることが可能な構造をしている球状体付きローション及び薬液塗布容器なので、請求項１又は同２又は同３記載の発明の効果と同じ効果を有している。
【００２９】
請求項５記載の発明は、前記球状体ｃが、真珠もしくは人造真珠である球状体付きローション及び薬液塗布容器なので、請求項１又は同２又は同３又は同４記載の発明の効果と同じ効果を有している。
【００３０】
請求項６記載の発明は、前記球状体ｃが、金もしくは純金資材製である球状体付きローション及び薬液塗布容器なので、請求項１又は同２又は同３又は同４又は同５記載の発明の効果と同じ効果を有している。
【００３１】
請求項７記載の発明は、前記球状体ｃが、ゲルマニウム資材製である球状体付きローション及び薬液塗布容器なので、請求項１又は同２又は同３又は同４又は同５又は同６記載の発明の効果と同じ効果を有している。
【００３２】
さらに、本発明は、ゲルマニウムの特性である、マイナスイオンが発生するので、手脚の血液及びリンパの血流を良好にする利点を有している。
【００３３】
請求項８記載の発明は、前記球状体ｃが、トルマリン資材製である球状体付きローション及び薬液塗布容器なので、請求項１又は同２又は同３又は同４又は同５又は同６又は同７記載の発明の効果と同じ効果を有している。
【００３４】
さらに、本発明は、トルマリンの特性である、マイナスイオンを発生させるので、手脚の血液及びリンパの血流を良好にする利点を有している。
【００３５】
請求項９記載の発明は、前記球状体ｃが、磁性を有する球状体付きローション及び薬液塗布容器なので、請求項１又は同２又は同３又は同４又は同５又は同６又は同７又は同８記載の発明の効果と同じ効果を有している。
【００３６】
さらに、本発明は、球状体ｃ磁性にしたので、手脚の血液中の鉄分と球状体ｃの磁性とが反応し合って、血流をスムーズにし、健康面を良好にした。
【発明を実施するための最良の形態】
【００３７】
本発明の請求項１〜９に記載の発明の実施の形態は、共通しているので以下のとおり一括して説明する。
【００３８】
図において、符号Ａは球状体付きローション及び薬液塗布容器であり、以下の構成からなっている。
【００３９】
前記球状体付きローション及び薬液塗布容器Ａは、ローションもしくは薬液入り容体ａと、ジョイントｂと球状体ｃとカバー体ｄとをメインとする構成部材からなっている。
【００４０】
前記ローション入りもしくは薬液入り容体ａは、有底状にして、上方に開口部３を有し、前記開口部３の外側面部に雄ネジ５を形成する。
【００４１】
そして、前記開口部３には、ローションもしくは薬液が排出する排出機構４が取着されている。前記排出機構４については、構造的に限定しない。  
【００４２】
つぎに、前記ジョイントｂの構成につき説明する。
【００４３】
前記ジョイントｂは、下方部に前記ローションもしくは薬液入り容体ａの開口部３と嵌合する内側面に雌ネジ６を内設の嵌挿部７を形成する。そして、上方部には、前記ローションもしくは薬液を排出せしめる小孔１付き頭部９を形成する。
【００４４】
さらに、前記カバー体ａは、カバー体ｄの上方部１０に水晶資材製の球状体ｃの一部が回動自在に回動し、飛出しない形状の回動開口部１０を有し、前記回動開口部１０の直下の内側部位に形成する球状体嵌挿部１０ａに前記水晶資材製の球状体ｃを収納し、且前記球状体嵌挿部１０ａの下方部に前記ジョイントｂの雄ネジ１３付き頭部１２と嵌合する内側面に雌ネジ１５を内設の下方開口部１４を形成する。          
【００４５】
以上がカバー体ｄの構成である。
【００４６】
さらに、前記ジョイントｂの小孔１付き頭部９は、フラット面１７とする。そして、前記ジョイントｂのフラット面１７中央部に小孔１を形成する。
【００４７】
そのため、前記球状体ｃが、前記ジョイントｂのフラット面１７の上面に載置されると、前記小孔１に当接する。
【００４８】
前記ローションもしくは薬液入り容体ａの開口部に取着する排出機構３は、注入されているローションを均一且小量宛排出せしめることが可能な構造である。
【００４９】
ｅはキャップである。
【００５０】
そして上記の各構成部材を組立てるには、前記容体ａに、前記ジョイントｂを嵌合し、前記ジョイントｂの頭部１２に前記球状体ｃを嵌挿したカバー体ｄの下方開口部１６を嵌合せしめる。
【００５１】
前記球状体ｃは、真珠もしくは人造真珠をもって形成してもよい。
【００５２】
さらに、前記球状体ｃは、金又は純金資材製のものを使用してもよい。
【００５３】
前記金または純金資材製のものを使用すれば、ローションもしくは薬液塗布時において、高級感を使用者に与え、塗布作業をスムーズにさせる。
【００５４】
さらに、前記球状体ｃは、ゲルマニウム資材製でもよい。
【００５５】
このゲルマニウム資材製の球状体ｃを使用すると、ゲルマニウムの特性である光や温度で電気的特性が大きく変り、前記ゲルマニウムが人体１８の皮膚１９に触れると電子の移動が起こるとされている。
【００５６】
さらに、人間の体には、生体電流というごく微量な電流が流れている。そして、その電流の流れのバランスが崩れると、体の調子が悪くなると云われている。
【００５７】
従って、本発明の球状体ｃに、前記ゲルマニウム資材製の球状体ｃを使用すると、前記ローションもしくは薬液入り容体ａをつかみながら、人体１８の手、指、顔面又は首のリンパ部分等の皮膚１９面を移動すると、前記球状体ｃの回動と共に、容体ａ内のローションが塗布される。
【００５８】
その際、前記球状体ｃは、ゲルマニウム資材製の特性によって、ゲルマニウムの表面に存在するマイナスイオンが皮膚１９から人体１８内に流れ込み、もしも使用者の痛みを発している人体１８の皮膚部分に当ると、痛みを発している部分のプラスイオンとのバランスがとれ、生体電流の乱れがおさまり、不快な症状を取り除くとする作用効果がある。
【００５９】
そして、前記のように痛みの除去によって血流を良くすると共に、ローションもしくは薬液の塗布による相乗効果が得られる。
【００６０】
また、本発明は、前記球状体ｃをトルマリン資材製にて形成してもよい。
【００６１】
従って、トルマリン資材製の球状体ｃを人体１８の皮膚１９面を移動させると、ローションもしくは薬液の塗布と共に、移動時にトルマリンの特性であるマイナスイオンが前記球状体ｃより発生し、皮膚１９の痛みやリンパの血流を良好にすると共に、ローションの塗布による相乗効果が得られる。
【００６２】
さらに、本発明の球状体ｃを磁性を有するものにしてもよい。
【００６３】
前記磁性を有する球状体ｃにして、人体１８の手足もしくは首廻りのリンパの皮膚１９面を移動し、ローションもしくは薬液を塗付すると、血液中の鉄分と前記球状体ｃの磁性力とが反応し合って、血流をスムーズにすると共に、ローションの塗付による化粧効果も相乗的に得られる。
【図面の簡単な説明】
【００６４】
【図１】本発明の球状体付きローション及び薬液塗布容器の縦断面図である。
【００６５】
【図２】同容器とキャップの斜視図である。
【００６６】
【図３】同容器の各構成部材の分解斜視図である。
【００６７】
【図４】同容器の使用状態を示す説明図である。
【符号の説明】
【００６８】
Ａ        容器
ａ        容体
ｂ        ジョイント
ｃ        球状体
ｄ        カバー
ｅ        キャップ
１        小孔
２        上方部
３        開口部
４        排出機構
５        雄ネジ
６        雌ネジ
７        嵌挿部
９        頭部
１０      回動開口部
１０ａ    球状体嵌挿部
１２      頭部
１３      雄ネジ
１４      下方開口部
１５      雌ネジ
１６      下方開口部
１７      フラット面
１８      人体
１９      皮膚
２０      手指
【図１】
2009077878.tif 000003
【図２】
2009077878.tif 000004
【図３】
2009077878.tif 000005
【図４】
2009077878.tif 000006